(57)【要約】【課題】  指で操作する表示一体型のポインティングデバイスを有する機器（図１はこの機器を搭載した携帯型情報端末の例）において、指で文字を筆記し易くする。【解決手段】  指で操作する表示一体型のポインティングデバイスを有する機器において、指で文字を筆記する時の筆跡インクの表示位置を、指が触れている位置としてそのデバイスが計算した位置からずらして表示させる。【選択図】図１
2011154664.tif 000002
【特許請求の範囲】
【請求項１】
指で操作する表示一体型のポインティングデバイスを有する機器において、文字等を筆記する時の筆跡インクの表示位置を、筆記者がその筆跡インクを視認し易い位置に、指が触れている位置としてデバイスが計算した位置より、ずらして表示させる事を特徴とする筆跡インク表示方法。
【請求項２】
指で操作する表示一体型のポインティングデバイスを有する機器において、文字等を筆記する時の筆跡インクの表示位置を、筆記者がその筆跡インクを視認し易い位置に、指が触れている位置としてデバイスが計算した位置より、ずらして表示させる事を特徴とする筆跡インク表示装置。
【発明の詳細な説明】
【技術分野】
【０００１】      本発明は、指で操作する表示一体型のポインティングデバイスを有する機器において、指で文字等を筆記した時の筆跡インクの表示位置を適切な位置に表示する事により、筆跡インクの視認性を向上させ、文字を筆記し易くするものである。
【背景技術】
【０００２】      従来から利用されている携帯情報端末（以後、ＰＤＡ：Ｐｅｒｓｏｎａｌ  Ｄｉｇｉｔａｌ  Ａｓｓｉｓｔａｎｔｓと記す。）「Ｚａｕｒｕｓ、Ｗｉｎｄｏｗｓ−ＣＥ端末等」や、近年急速に市場が拡大しているスマートフォン（ＰＤＡと携帯電話が融合した携帯情報端末）「アップルのｉＰｈｏｎｅ、マイクロソフトのＷｉｎｄｏｗｓ  ｐｈｏｎｅ等」、これらの携帯情報端末は、普通のパソコンの様にキーボードとマウスで操作するのではなく、その画面に直接ペンや指を触れて操作するものがほとんどである。【０００３】      画面（そのほとんどは液晶表示画面である。）に直接触れて操作する為に、画面の表面や裏面に細工をして、画面のどの部分にペンや指が触れたのかを検出する。【０００４】      従来から最も多く利用されていた画面接触位置の検出方法は、抵抗膜方式であり、画面の上に、ドットスペーサーと呼ばれる格子状に配置された微小な絶縁球体を挟んだ２枚の薄い透明の導電性のあるフィルムを貼り付けておき、任意の個所にペンや指で圧力を加える事により、２枚のフィルムが接触し通電するので、その場所を検出して接触位置を知る方式である。【０００５】      この方式はペンの様な先の細いもので操作する場合は問題ないが、指の様な、ある程度の接触面積がある物だと、フィルム間のドットスペーサーが邪魔をして、うまく位置検出出来ない場合がある。【０００６】      最近は、指で操作できる方式が増えてきた。これは、携帯情報端末をポケットから取り出して、（ペンを取り出す必要もなく）すぐにスマートに操作できるからである。この指で操作する方式は、静電容量方式等の位置検出方式を利用している。【０００７】      この方式は、画面の上に薄い透明の膜を貼り、そこに指が触れる事で起こる電気容量の変化を計算して位置を検出する方式である。通常指の腹で触れた場合は、その指の腹が画面に接触している面の中心辺りが、指が触れた位置として算出される。【０００８】      算出位置は、画面に指が接触している面の中心辺りと記したが、接触面の重心位置を計算する方法や、接触面に外接する四角形の中心点を計算する方法など、幾つかの方法があるが、どれも、接触している指の腹の中心辺りを算出するので、当発明の説明にこの方式の差は関係無い。【０００９】      その他、光センサー方式などの他方式もある、これらの方式のポインティングデバイスを利用して手書き文字等を入力するには、通常これらのポインティングデバイスと、ＬＣＤ等の表示装置を一体化した装置が用いられる。この様な装置を、表示一体型ポインティングデバイスと言う。【００１０】      この表示一体型ポインティングデバイスを携帯情報端末等の入力表示装置とした場合の利用方法としては、その画面に表示されるアイコン（メニュー項目や操作対象を小さな絵や記号、イラスト等で表現した物）を指で触れることによって選択したり、手書き文字等を入力したりする事に使用する。【００１１】      この手書き文字等を入力する場合には、指を画面に触れたまま動かして文字を筆記するが、その時に、紙にボールペンで文字を書いた時と同じ様に、指が画面に触れながら動いた時に、その部分に線がインクの様に表示される事が多い、これを筆跡インクと言う、筆記者はそれを視認する事で、目視から文字形状のフィードバックを受けながら文字を書いて行く。
【発明の概要】
【発明が解決しようとする課題】
【００１２】      この指で操作する方式は、画面上のアイコンを選択するにはあまり問題はないが、画面上に文字等を書く時には、図２ｂの様に、筆跡インクが指に隠れてしまうだけでなく、書き始めの位置が指に隠れて視認出来ないので、筆記し難いと言う問題がある。【００１３】      人が文字を書く時には、自分が書いた線（筆跡インク）を見ながら書く事で、その筆跡から文字形状のフィードバックを受けながら文字を書くが、特に、線を書き始める時に、その始点の位置がはっきり目視できないと、文字を構成する線の位置関係のバランスが悪くなり、非常に筆記し難い。【００１４】      図で説明すると、通常、指で筆記する時には、その筆跡インクは、図２の様に、先に述べた様に指の腹の中心辺りから表示される事になるが、その位置に筆跡インクが表示されても、筆跡インクが指に隠されてしまう。更に、筆記者は、書き始めの筆跡インクの表示位置を、目視で確認できない。【００１５】      その結果、指で隠れている部分に関しては、筆跡インクの視認フィードバック無しで筆記を行う事になり、文字のバランスが崩れたり、交点の位置がずれてしまったりして、バランスの悪い文字になる可能性が大きい、指に隠れてしまう様な小さな文字では、全く筆跡インクを見ずに指先を動かす事にもなる。【００１６】      指を立てて、指の先だけで筆記すれば、筆跡インクの視認性に問題は無いのではないかと考えるかも知れないが、静電容量方式等のデバイスでは、ある程度の接触面積が無いと指の接触が認識されない問題がある、また、爪が少しでも長いと指先だけを接触させるのは無理である、どうしてもある程度指の腹を接触させる必要があるのである。
【課題を解決するための手段】
【００１７】      前記課題を解決する為に、請求項１に記載された本発明は、従来、画面にタッチしている指の腹の中心辺りから表示していた筆跡インクを、右手での筆記ならば左上に、左手での筆記ならば右上に、筆跡インクの表示をわざとずらして表示する事により、筆跡インクの表示位置がなるべく指で隠れない様にし、筆跡インクの視認性を向上させ、文字を筆記し易くする方法である。【００１８】      請求項２に記載された本発明は、画面にタッチしている指の筆跡インクを、右手での筆記ならば左上に、左手での筆記ならば右上に、筆跡インクの表示をわざとずらして表示する事により、筆跡インクがなるべく指で隠れない様にし、筆跡インクの表示位置の視認性を向上させ、文字を筆記し易くする表示装置である。
【発明の効果】
【００１９】      本発明の特徴は、従来指で隠れてしまって視認出来なかった筆跡インクの表示位置の視認性を大幅に向上する事で、文字を筆記し易くして、従来では描けなかった小さな文字の筆記が可能になったり、線の書き出しの位置が分かり易くなる事から、筆記する文字のバランスを取り易く、指でも綺麗な文字が書ける様になる。【００２０】      また、手書きの署名照合技術（例えば、ウィッツェル株式会社のサイバーサイン技術）の入力方法として利用する事で、文字の筆記がし易いので、筆記のリズムや文字の形状が安定し、手書き署名照合技術の精度向上に貢献する。
【発明を実施するための形態】
【００２１】      図３に右利きの筆記者が右手の人差指で筆記している例を示してある。図２の標準的な筆跡インクの表示位置と比較すると、左上方向へ筆跡インクの表示がずれているのが分かる、これによって、右利きの人は右手人差し指の左側方向から筆跡インクを見る訳であるから、視認性が向上するのである。
【００２２】      図３のａは、筆跡インクの位置関係を示した図であり、ｂは、実際に筆跡インクが見えている状態を示した図である。図２、図４についても、ａ、ｂの関係は同様である。
【００２３】      図４は、左利きの筆記者が左手の人差指で筆記している例を示したものである。筆記後の筆跡インクの隠れて見えない領域は、図２の標準的な例よりも多いが（これは右利き用に最適化した場合にも起こりえる）実際に筆記する場合は、過去の筆跡インクよりも、これから自分が書き始める位置や、書いている位置を知る事の方が、文字を綺麗に書くと言う面での影響が大きいので、この場合も筆跡インクの表示位置の視認性が高くなり、発明は有効である。
【００２４】      本発明は、筆記者が筆跡インクを視認し易くなる方向へ、適当な量だけ筆跡インクの表示をずらすものである。これは、筆記者が右手で書くか、もしくは、左手で書くかによって、筆跡インクをずらす方向を変える必要があると言う事であるので、筆記者の利き手を設定できる事が望ましい。
【００２５】      また、視認性に関しても個人差があるので、ずらす量と、ずらす方向は、個人の好みに従って設定できる様にする事が望ましい。ずらす方向と言うのは、例えば、右利きの人ならば基本的に左上の方向にずらせば良いが、左方向への移動量と上方向への移動量は別々に任意に設定出来た方が良いと言う事である。
【００２６】      また、先にアイコンの選択は指の腹の中心でも問題ないと記したが、アイコンの選択に関しても個人の好みにより、ポインティングの位置をずらした方が操作し易い場合がある。
【図面の簡単な説明】
【００２７】
【図１】  本発明の実施形態に係わる、指で操作する表示一体型のポインティングデバイスを搭載した携帯情報端末の構成を示す例である。
【図２】  標準的な筆跡インク表示位置の場合の筆跡インクの表示と、視認性の例である。
【図３】  右手用に最適化された場合の筆跡インクの表示と、視認性の例である。
【図４】  左手用に最適化された場合の筆跡インクの表示と、視認性の例である。
【符号の説明】
【００２８】１    指で操作する携帯情報端末
２    指の位置検出装置が付いた表示面
３    筆記者の指
４    筆跡インクの表示
５    標準的な筆跡インクの表示位置
６    右手用に最適化された筆跡インクの表示位置
７    左手用に最適化された筆跡インクの表示位置
【図１】
2011154664.tif 000003
【図２】
2011154664.tif 000004
【図３】
2011154664.tif 000005
【図４】
2011154664.tif 000006